(57)【要約】【課題】見た目に普通の商品広告印刷物から所望の商品を撮影してその撮影データを送信するだけでその商品の売買が実行可能な商品販売システムを提供する。【解決手段】型録、チラシ等の商品販売用印刷物の広告商品を掲載した画像区画１８ごとに、見た目には通常のフルカラー画像の商品イメージ、商品名、値段、寸法などと共に可視光下では殆ど視認が不可能で撮影により映像認識され得る光学的潜像の特殊記号を印刷する。所望の商品の画像区画１８をデジタルカメラで撮影すると特殊記号が画像認識され表示画面に可視的に映像化され、メモリに記憶される。特殊記号は例えばバーコードやＱＲコード等であり、含まれる情報は、販売会社のＵＲＬ、広告名称、広告日付、商品コードなどである。商品購買希望者は撮影データを送信するだけで販売会社のＵＲＬにアクセスし、商品展示ページに移動し、注文確定の入力を行うことができる。【選択図】      図１
2005284778.tif 000002
【特許請求の範囲】
【請求項１】
少なくとも、商品の可視画像を印刷し、該商品の可視画像上に重ねて可視光下では殆ど視認不可能で撮影により映像認識され得る光学的潜像からなる前記可視画像の商品に対応する商品情報を印刷する、ことを特徴とする商品販売用印刷物の印刷方法。
【請求項２】
減法混色の３原色のインクと黒インクの４種類の分色画像を形成する４つの画像形成部を有する通常の印刷装置により、前記３原色のインクによる分色画像を形成する３つの画像形成部により前記３原色のインクによる黒を含むカラー画像を形成し、前記黒インクによる分色画像を形成する画像形成部により可視光下で視認不可能で撮影により映像認識され得る光学的潜像を印刷するインクによる前記光学的潜像を印刷することを特徴とする請求項１記載の商品販売用印刷物の印刷方法。
【請求項３】
少なくとも、商品の可視画像を印刷し、該商品の可視画像の画素に混在するよう埋め込まれ前記可視画像の商品に対応する商品情報を示すコードとを印刷することを特徴とする商品販売用印刷物の印刷方法。
【請求項４】
前記商品情報を示すコードは、バーコード又は２次元コードであることを特徴とする請求項３記載の商品販売用印刷物の印刷方法。
【請求項５】
前記商品情報は、前記商品の販売会社のＵＲＬ（uniform resource locator）、広告名称、広告日付、又は商品コードのいずれか又は全てを含む情報であることを特徴とする請求項１又は３記載の商品販売用印刷物の印刷方法。
【請求項６】
商品の種類に応じた数の画像区画ごとに、少なくとも前記商品の可視画像と、可視光下では殆ど視認不可能で撮影により映像認識され得る光学的潜像からなる前記可視画像の商品に対応する商品情報と、を印刷されていることを特徴とする商品販売用印刷物。
【請求項７】
前記光学的潜像による前記商品情報は、前記商品の販売会社のＵＲＬ（uniform resource locator）、広告名称、広告日付、又は商品コードのいずれか又は全てを含む情報であることを特徴とする請求項６記載の商品販売用印刷物。
【請求項８】
前記光学的潜像は、前記商品の可視画像上に重ねて印刷されていることを特徴とする請求項６又は７記載の商品販売用印刷物。
【請求項９】
前記光学的潜像は、前記商品と共に印刷されている値段表示の可視印刷上に重ねて印刷されていることを特徴とする請求項６又は７記載の商品販売用印刷物。
【請求項１０】
前記光学的潜像は、前記１画像区画内の白場に印刷されていることを特徴とする請求項６又は７記載の商品販売用印刷物。
【請求項１１】
前記白場は、前記商品と共に印刷されている寸法表示の可視印刷に近接する白場であることを特徴とする請求項１０記載の商品販売用印刷物。
【請求項１２】
商品の種類に応じた数の画像区画ごとに、少なくとも前記商品の可視画像と、該商品の可視画像の画素に混在するよう埋め込まれ前記可視画像の商品に対応する商品情報を示すコードを印刷されていることを特徴とする商品販売用印刷物。
【請求項１３】
前記商品情報を示すコードは、バーコード又は２次元コードであることを特徴とする請求項１２記載の商品販売用印刷物。
【請求項１４】
前記商品情報は、前記商品の販売会社のＵＲＬ（uniform resource locator）、広告名称、広告日付、又は商品コードのいずれか又は全てを含む情報であることを特徴とする請求項１２又は１３記載の商品販売用印刷物。
【請求項１５】
請求項６乃至１４に記載の商品販売用印刷物のいずれかに掲載されている所望の前記商品が印刷されている前記画像区画を撮影し、
該撮影した撮像データを電気信号に変換して所定の通信ネットワークを介して送信することにより前記撮影した前記商品を発注し、
該商品の発注に対応して前記通信ネットワークを介して送信されてくる所定のフォーマットの画像情報に対応する返信を行うことにより前記発注を確定する、
ことを特徴とする商品販売システム。
【請求項１６】
前記所定のフォーマットの画像情報に対応する返信は、返信者の少なくとも名前、住所、電話番号を含むことを特徴とする請求項１５記載の商品販売システム。
【請求項１７】
前記画像区画の撮影は、カメラ付き携帯電話、カメラ付き通信機能付き電子手帳、又はデジタルカメラで行われ、前記送信は、前記カメラ付き携帯電話、前記カメラ付き通信機能付き電子手帳、又は前記デジタルカメラから前記撮像データをロードされた通信機能を備えたパーソナルコンピュータで行われる、
ことを特徴とする請求項１５又は１６記載の商品販売システム。
【請求項１８】
所定の通信ネットワークに接続されたサーバを備え、
該サーバは、
請求項６乃至１５に記載の商品販売用印刷物のいずれかに掲載されている前記商品が印刷されている前記画像区画が撮影された撮像データを電気信号に変換されて前記通信ネットワークを介して送信された前記電気信号を受信し、
該受信した前記電気信号から得られる前記撮像データを処理して該撮像データに含まれる商品情報に基づいて撮影された前記画像区画の前記商品を特定して該特定された前記商品を受注し、
前記電気信号の送信者に対し前記通信ネットワークを介して所定のフォーマットの画像情報を送信し、
該送信した前記所定のフォーマットの画像情報に基づいて前記送信者から返信されるデータが前記所定のフォーマットに正しく対応したデータであることを確認し、
該確認されたデータに基づいて前記送信者に対する前記商品の発送指示の処理と前記商品の代金の課金の処理とを行う、
ことを特徴とする商品販売システム。
【請求項１９】
請求項６乃至１５に記載の商品販売用印刷物は、予め前記商品を販売する企業側より不特定多数の又は配布を希望する購買者に配布されることを特徴とする請求項１５又は１８記載の商品販売システム。
【発明の詳細な説明】
【技術分野】
【０００１】
本発明は、商品販売システム、それに用る商品販売用印刷物及びその印刷方法に係わり、更に詳しくは商品販売用印刷物に特殊な印刷方法によって掲載された商品情報を撮影して得られる画像情報が電気信号に変換されてネットワークを介し送信され、受信側で画像情報の商品が特定されて売買が確定し、確定した商品の販売と購入申し込み者への課金とが行われる商品販売システムに関する。
【背景技術】
【０００２】
近年、一般の消費者が、所望の商品を注文するのにわざわざその商品の販売店へ行かなくても、カタログ雑誌、新聞の折込み広告、街頭で頒布しているチラシなどを見て、欲しい商品があるときは、パーソナルコンピュータを用い、インターネットにログインし、販売業者のＵＲＬ（uniform resource locator）を入力して、そのホームページにアクセスし、商品コード、個数、金額、クレジットカード番号の入力など所定の入力手続きを行うことによって、商品を発注する方法が行われている。
【０００３】
あるいは、上記のようなカタログ、広告、チラシ等に拠らず、消費者が自ら直接インターネット上でバーチャルモール（virtual mall：オンラインショップが集まった電子モール）を検索し、そのバーチャルモール上で所望の商品を取り扱っているホームページを探し出し、そのホームページにアクセスして、購入の申し込みをする。
【０００４】
上記いずれの場合も、消費者からの商品購入の申し込みがあった場合は、先ず企業側としては購入を申し込まれた商品の発送と課金の処理を行う。課金処理は、上記のように消費者に決済金額とクレジットカードの番号を入力させるのが通常であるが、消費者がネット上におけるクレジットカード番号のセキュリティを考慮する場合は、銀行や郵便局などの金融機関に振り込をする。あるいは、決済金額とクレジットカード番号を所定の書類に記入して発送する。あるいは、代金引き換えでの購入申し込みをするなどの方法も採用される。
【０００５】
また、従来、偽造防止と秘密の保持を図るため、赤外波長領域で発光する赤外発光蛍光体を用いたインク組成物を使用して、この種の赤外発光層をカタログ等の印刷物などに印刷して、あるいはプリペイドカ−ドやＩＤカ−ド、磁気カ−ドなどのプラスチック製基板や磁性層等に印刷して、その赤外発光層の印刷情報を光学的に読み取る装置で読み取って、商品の特徴、価格等の情報を得たり、種々の個人情報を得ることが試みられている。（例えば、特許文献１、特許文献２参照。）
そして、上記のような印刷を実現させる技術として、赤外発光蛍光体および結合剤樹脂とともに含有させたインク組成物をベ−スフィルム上に印刷または印字して赤外発光層を形成する技術が開示されている。（例えば、特許文献３参照。）
【特許文献１】特開昭５３−００９６００号公報
【特許文献２】特公昭６１−０１８２３１号公報
【特許文献３】特開平０７−１８８５９９号公報
【発明の開示】
【発明が解決しようとする課題】
【０００６】
しかしながら、上述した販売システムには、必ずしもどんな人でも参加出来る訳ではない。たとえば、細かい字を読むに不自由な高齢者にとっては、インターネットのホームページの極めて小さな文字は読み取ることが困難で、このような商品発注方法は適さないとされてきた。
【０００７】
また、中高年層の中には、いまだにパーソナルコンピュータの操作に習熟していない人も多く、そのような人達にとっては上記のインターネットによる商品注文方式を実行するのは容易ではない。
また、パーソナルコンピュータの操作に習熟し、インターネットによる商品注文方式を実行することができたとしても、パーソナルコンピュータの入力キーやマウスを手作業で操作して、ショッピングサイトのＵＲＬを打ち込んだり、開いたトップページから所望の商品情報が掲載されている画面の検索を行ったりするには、大変な時間と労力を必要とする。
【０００８】
また、所望の商品が見つかって、印刷物上の商品番号や商品写真などとの照らし合わせを行い、購入の申し込みをしても、その後の手続きが上述したように手数がかかり、決して便利な購入方法であるとはいえない面が残されている。
また、赤外発光蛍光体を用いたインクを印刷する偽造防止と秘密保持の方法は、単に情報を無用な者の目に触れず必要な者のみが秘密裏に取得出来るようにしたものであり、それ以上の用途開発はなされていない。
【０００９】
本発明の課題は、上記従来の実情に鑑み、特殊な印刷方法で印刷された見た目には普通の商品広告印刷物から所望の商品を撮影してその撮影データを送信するだけでその商品の売買が実行可能な商品販売システム、それに用る商品販売用印刷物及びその印刷方法を提供することである。
【課題を解決するための手段】
【００１０】
先ず、第１の発明の商品販売用印刷物の印刷方法は、少なくとも、商品の可視画像を印刷し、該商品の可視画像上に重ねて可視光下では殆ど視認不可能で撮影により映像認識され得る光学的潜像からなる上記可視画像の商品に対応する商品情報を印刷するように構成される。
【００１１】
この場合、例えば減法混色の３原色のインクと黒インクの４種類の分色画像を形成する４つの画像形成部を有する通常の印刷装置により、上記３原色のインクによる分色画像を形成する３つの画像形成部により上記３原色のインクによる黒を含むカラー画像を形成し、上記黒インクによる分色画像を形成する画像形成部により可視光下では殆ど視認不可能で撮影により映像認識され得る光学的潜像を印刷するインクによる上記光学的潜像を印刷することができる。
【００１２】
次に、第２の発明の商品販売用印刷物の印刷方法は、少なくとも、商品の可視画像を印刷し、該商品の可視画像の画素に混在するよう埋め込まれ上記可視画像の商品に対応する商品情報を示すコードとを印刷するように構成される。この場合、上記商品情報を示すコードは、バーコード又は２次元コードで構成してもよい。
【００１３】
また、上記第１又は第２の商品販売用印刷物の印刷方法において、上記商品情報は、例えば上記商品の販売会社のＵＲＬ、広告名称、広告日付、又は商品コードのいずれか又は全てを含む情報で構成される。
続いて、第３の発明の商品販売用印刷物は、商品の種類に応じた数の画像区画ごとに、少なくとも商品の可視画像と、可視光下で殆ど視認不可能で撮影により映像認識され得る光学的潜像からなる上記可視画像の商品に対応する商品情報と、を印刷されて構成される。
【００１４】
上記光学的潜像による上記商品情報は、例えば上記商品の販売会社のＵＲＬ、広告名称、広告日付、又は商品コードのいずれか又は全てを含む情報で構成され、また、例えば上記商品の可視画像上に重ねて印刷されてもよく、また、例えば上記商品と共に印刷されている値段表示の可視印刷上に重ねて印刷されてもよく、また、例えば上記１画像区画内の白場に印刷されるようにしてもよい。この場合、上記白場は、例えば上記商品と共に印刷されている寸法表示の可視印刷に近接する白場であることが好ましい。
【００１５】
また、第４の発明の商品販売用印刷物は、商品の種類に応じた数の画像区画ごとに、少なくとも商品の可視画像と、該商品の可視画像の画素に混在するよう埋め込まれ上記可視画像の商品に対応する商品情報を示すコードを印刷されて構成される。上記商品情報を示すコードは、例えばバーコード又は２次元コードである。
【００１６】
また、上記商品情報は、例えば上記商品の販売会社のＵＲＬ、広告名称、広告日付、又は商品コードのいずれか又は全てを含む情報である。
次に、第５の発明の商品販売システムは、上記に記載の商品販売用印刷物のいずれかに掲載されている所望の上記商品が印刷されている上記画像区画を撮影し、該撮影した撮像データを電気信号に変換して所定の通信ネットワークを介して送信することにより上記撮影した上記商品を発注し、該商品の発注に対応して上記通信ネットワークを介して送信されてくる所定のフォーマットの画像情報に対応する返信を行うことにより上記発注を確定するように構成される。
【００１７】
この場合、上記所定のフォーマットの画像情報に対応する返信は、例えば返信者の少なくとも名前、住所、電話番号を含んでいるように構成される。
また、上記画像区画の撮影は、例えばカメラ付き携帯電話、カメラ付き通信機能付き電子手帳、又はデジタルカメラで行われ、上記送信は、例えば上記カメラ付き携帯電話、上記カメラ付き通信機能付き電子手帳、又は上記デジタルカメラから上記撮像データをロードされた通信機能を備えたパーソナルコンピュータで行われる、
続いて、第６の発明の商品販売システムは、所定の通信ネットワークに接続されたサーバを備え、該サーバは、上記に記載の商品販売用印刷物のいずれかに掲載されている上記商品が印刷されている上記画像区画が撮影された撮像データを電気信号に変換されて上記通信ネットワークを介して送信された上記電気信号を受信し、該受信した上記電気信号から得られる上記撮像データを処理して該撮像データに含まれる商品情報に基づいて撮影された上記画像区画の上記商品を特定して該特定された上記商品を受注し、上記電気信号の送信者に対し上記通信ネットワークを介して所定のフォーマットの画像情報を送信し、該送信した上記所定のフォーマットの画像情報に基づいて上記送信者から返信されるデータが上記所定のフォーマットに正しく対応したデータであることを確認し、該確認されたデータに基づいて上記送信者に対する上記商品の発送指示の処理と上記商品の代金の課金の処理とを行うように構成される。
【００１８】
この場合、上記に記載の商品販売用印刷物は、予め上記商品を販売する企業側より不特定多数の又は配布を希望する購買者に配布されることが好ましい。
【発明の効果】
【００１９】
第１の発明の印刷方法によれば、減法混色の３色と黒の４色の分色印刷を行う通常の印刷装置を用いて特殊な印刷を行うことができるので便利である。
また、第１又は第２の発明の印刷方法によれば、見た目には何の変哲も無い通常の商品販売用印刷物でありながら、この中の所望の商品をデジタル撮影装置で撮影して、その撮影データを所定のネットワークを介して送信するだけで売買が可能となる商品情報が目には見えないように印刷されているので、商品販売用の広告印刷物としての美観を損ねず、且つ紙面のスペースを十分に用いて商品印刷が出来るので便利である。
【００２０】
次に、第３又は第４の発明の商品販売用印刷物は、第５の発明の商品販売システムを用い、所望の商品が形成されている区画内を例えばカメラ付き携帯電話のようなカメラ付き及び送信機能付きの情報端末機器で撮像して、その撮像データを所定のネットワークを介して電送モードで送信するだけで当該商品の購入ができるので、手動でＵＲＬを打ち込む手数が省け、商品情報のサイトを試行錯誤で検索する必要もなく、自動的に商品サイトに辿り着いたときには撮った印刷物の商品と見比べるだけで確認ができ、したがって、消費者が商品を購入しょうとする際に、たとえば細かい字を読むに不自由な高齢者やゴンピューターの操作に習熟していない消費者などであっても、容易に所望の商品を注文出来るので消費者にとって極めて便利である。
【００２１】
また、第３又は第４の発明の商品販売用印刷物は、第５の発明の商品販売システムを用い、電気信号として受信した商品撮像データから直接商品情報を取り出して発信者の端末表示画面を直ちに当該商品陳列サイトに案内できると共に簡単なフォーマットによる情報交換で購買希望者を確認して商品の発送手配と課金の手配ができるので、細かい字を読むに不自由な高齢者やゴンピューターの操作に習熟していない消費者などに対する容易な商品提供に貢献することができる。
【発明を実施するための最良の形態】
【００２２】
以下、本発明の実施の形態を図面を参照しながら説明する。
【実施例１】
【００２３】
図１は、本発明の実施例１としての商品販売システムの全体構成を示す図である。同図に示すように、本例の商品販売システムは、例えばインターネット等の通信ネットワーク１に、商品販売会社のサーバ２、この商品販売会社と提携して商品販売代金の支払いを代行するクレジットカード会社３（のサーバ）やこのクレジットカード会社３を代行するカード代行会社４（のサーバ）、多数のカメラ付き及び送信機能付きの情報端末機器５とが接続されて構成される。
【００２４】
上記のカメラ付き及び送信機能付きの情報端末機器５は、例えばカメラ付き携帯電話、カメラと送信機能付き電子手帳、カメラと送信機能付きモバイルコンピュータ、デジタルカメラの撮像データをローデングされた送信機能付きパーソナルコンピュータなど種々あるが、以下の説明では代表的にカメラ付き携帯電話５とする。
【００２５】
図２は、上記の商品販売会社のサーバ２（ハード）のシステム構成を模式的に示すブロック図である。同図に示すようにサーバ２は、ネットワークアダプタ６を介して図１に示した通信ネットワーク１に接続されているＣＰＵ（ central processing unit）７と、このＣＰＵ７に接続されてたＲＯＭ（read only memory）８、ＲＡＭ（Random Access Memory）９、ＨＤ（ hard disk）１１、Ｉ／Ｆ（インターフェース）ユニット１２が接続されて構成されている。
【００２６】
上記のＲＯＭ８には、ＯＳ（operating system：基本ソフトウエア）が格納されており、ＲＡＭ９は少なくともプログラム領域、データ領域、及び一時領域（ワークエリア）を備えている。
ＨＤ１１には、サーバ２全体を制御するプログラムや、各種のサーバ（ソフト）例えばＷｅｂサーバ、ファイルサーバ、コミュニケーションサーバ、データベースサーバ、メールサーバが格納されており、更に、その他各種のアプリケーション、商品情報のデータベース、顧客管理のデータベース、商品発送と課金間管理のデータベース等が格納されている。
【００２７】
尚、上記各種のサーバ（ソフト）機能を１台のサーバ機で実現してもよいが、クライアントが増えてくると負荷が集中して処理が遅くなるから、サーバ機を複数台設置して、サーバ機能を分散して処理を分散させることが好ましい。
Ｉ／Ｆユニット１２は、例えば複数のＵＳＢ（universal serial bus）、シリアルインターフェース、パラレルインターフェース等の各種のインターフェースを備えており、このＩ／Ｆユニット１２には、外部記憶装置１３、モニタ１４、キーボード／マウス１５、及び端末１６が接続されている。
【００２８】
外部記憶装置１３としては、例えば外付けＨＤ、ＭＯ（Magneto Optical disk）、ＣＤ−Ｒ／Ｗ（compact disc read/write memory）等が接続されており、各種のデータのローディング、各種アプリケーションのインストール、あるいは各種のデータバックアップ用として使用される。
【００２９】
モニタ１４としては、例えばＣＲＴ（cathode ray tube：ブラウン管）、ＬＣＤ（liquid crystal display：液晶表示装置）、又はプラズマディスプレイ等が接続されており、サーバ２における各種のデータ処理内容が表示されたり、オペレータとのマン・マシンインターフェースが表示されたり、必要な各種の表示が行われる。
【００３０】
キーボード／マウス１５は、データの更新やアプリケーションの更新などをサーバ２（ソフト）に指示する際にオペレータによって入力操作される。
端末１６は、専用端末装置あるいはパーソナルコンピュータであり、必要に応じて、上記のモニタ１４やキーボード／マウス１５とは独立に操作され、操作結果を一括してサーバ２（ソフト）に引き渡したり、サーバ２（ソフト）からデータを受け取ることることができる。
【００３１】
ＣＰＵ７は、ＲＯＭ８のＯＳに基づいて動作し、ＨＤ１１に格納されている各種のサーバ、各種のアプリケーションをＲＡＭ９のプログラム領域に読み出し、それらのソフトウエアに従って、ＨＤ１１から各種のデータベース、各種のデータをＲＡＭ９のデータ領域に読み出して処理し、必要な中間データ又は一時的データをＲＡＭ９の一時領域に保存しながら、このサーバ２にアクセスしてきたクライアントのＷｅｂブラウザと通信する。
【実施例２】
【００３２】
図３は、この商品販売システムにおいて使用される商品販売用印刷物の一例を示す図である。同図に示す商品販売用印刷物１７は、新聞の折込み広告や街頭で頒布しているチラシなどと同様の販促用の商品広告であり、商品の種類に応じた数だけ設けられた画像区画１８ごとに、見た目には通常のフルカラー画像の商品イメージと共に、商品名と、値段と、ものにより縦横の寸法などが印刷されている。そして、更に、可視光下では殆ど視認が不可能で、撮影により映像認識され得る光学的潜像からなる特殊記号が印刷されている。
【００３３】
尚、同図は一枚ものの商品販売用印刷物１７を示しているが、これに限ることなく、例えば製本されて会員や希望者に配布されるカタログ誌の一頁、又は、雑誌綴じ込みの商品広告の頁であってもよいことは言うまでもない。
図４(a),(c) は上記商品販売用印刷物１７の画像区画１８の中から、一例としてリビングテーブル１９を印刷した画像区画１８の印刷の態様を２例示す図であり、同図(b),(d) は、それぞれ、同図(a),(c) に示す２例の印刷態様における光学的潜像からなる特殊記号の印刷例を示す図である。
【００３４】
同図(b) は、同図(a) の画像区画１８をデジタルカメラで撮影したことにより光学的潜像からなる特殊記号の印刷が可視的に映像化された画像１８´を示している。同図(b) に示すように、この例では、同図(a) のリビングテーブルの画像印刷（可視画像）部１９と、その価格表示の印刷（可視印刷）部２１の上に重ねて印刷された特殊記号の例を示している。なお、同図(b) に示す例では、それらの特殊記号はバーコードの場合を示している。このように同図(a) に印刷されている特殊記号の印刷は、可視光下では殆ど視認できない特殊なインクで印刷されており、デジタルカメラによる撮影により認識可能な状態に映像化されるようになっている。
【００３５】
また、同図(d) は、同図(c) の丸ａで囲んで示すリビングテーブルの縦横の寸法を印刷した寸法表示枠２２の部分をデジタルカメラで撮影した画像１８´を示しており、同図(a) の寸法表示枠２２の中の白場（白無地部分）に、可視的に映像化された特殊記号としてのバーコードが印刷されている例を示している。この場合も、同図(c) に印刷されている特殊記号の印刷は、上記同様に可視光下では殆ど視認できない特殊なインクで印刷されており、デジタルカメラによる撮影により認識可能な状態に映像化される。
【００３６】
いずれも、バーコードで示される情報は、商品を特定化するための情報であり、例えば販売会社のＵＲＬ、広告名称、広告日付、商品コードなどが含まれる。商品コードは、特には図示しないが、サーバ２（ハード）のＨＤ１１に格納されている商品情報のデータベース内の当該商品データレコードにリンクしている。
【００３７】
図５(a),(c) は、同じくリビングテーブル１９を印刷した画像区画１８の他の印刷の態様を２例示す図であり、同図(b),(d) は、それぞれ、同図(a),(c) に示す２例の印刷態様における埋め込み式の特殊記号の印刷例を示す図である。この場合の特殊記号の印刷は、通常の可視光下で視認可能なインクで印刷されているが、画像内に埋め込み式で印刷されているため視認が困難であり、つまり目立たないように印刷されている。
【００３８】
同図(b) は、同図(a) の丸ｂで囲んで示すリビングテーブルの一角２３の印刷を拡大して示している。同図(b) に示すように、画像内にはバーコードの最小バーの太さが印刷の網点１個の大きさと一致するサイズで、バーコードが埋め込み印刷されている。
このリビングテーブルの画像は、他の商品の画像と同様にフルカラーの印刷であり、実際には同図(d) に示すように階調差のある色調で印刷されており、その中に最小バーの太さが印刷の網点１個の大きさと一致するサイズで埋め込まれたバーコードの存在は、肉眼では殆ど視認することができない。しかし、画像認識処理では、網点１個ごとに認識できるので、このバーコードの部分をバーコードとして取り出してデータ処理を行うことができる。
【００３９】
同図(d) は、同図(c) の丸ｃで囲んで示すリビングテーブルの一角２３の印刷画像が上記のように階調差のある色調であることを利用して、目立たないように分散された２次元コードが埋め込み印刷されている例を示している。この２次元コードとしては、ＱＲコード、マイクロＱＲコード（デンソーウェブ社）、ＰＤＦ４１７（シンボル社）、ＤａｔａＭａｔｒｉｘ（Ｃｌマトリックス社）、ＭａｘｉＣｏｄｅ（ＵＰＳ社）などが挙げられる。これらの２次元コードは、例えばバーコードの３０分の１の印刷面積でバーコードと同様の印字情報を表現することが可能である。
【００４０】
尚、図３に示す商品販売用印刷物１７の例では、広告商品として家具又は電化製品を示しているが、これに限ることなく、商品販売用印刷物１７を用いて販売促進する対象とする商品は、販売され得る公知の有形、無形の有価物件が挙げられる。例えば、販売される物品、興行入場券、通行券、切符、搭乗券、宿泊予約などが含まれる。
【実施例３】
【００４１】
ここで、上記の商品販売用印刷物１７の印刷方法を簡単に説明する。上記の商品販売用印刷物１７の印刷方法としては、特には図示しないが、種々の印刷機を用いることができる。例えば、オフセット輪転印刷機、オフセット枚葉印刷機、凸版印刷機、センターインプレッション型、スタック型、ライン型フレキソ版印刷機、スクリーン印刷機、グラビア印刷機、レーザープリンタ、インクジェットプリンタ、熱転写プリンタなどが挙げられる。
【００４２】
いずれの場合も、カラー印刷を行う場合は、減法混色の３原色であるマゼンタ（紅）、シアン（藍）、イエロー（黄）、及び文字や画像の暗黒部に用いられるブラック（黒）の合計４色のインクを用いる場合が多い。そのほうが印刷工数が一工程多くなる代わりに、画像の黒部分の表現が鮮やかに目立つようになることと、黒部分の表現を３色のインクを用いずに安価な黒インクで表現できるので経済的であるという利点がある。
【００４３】
とはいっても、マゼンタ、シアン、イエローの３色のみでフルカラーと黒色を表現するようにしても、印刷工数が少なく、また印刷機の構成も簡単になるので経費節減の点では４色の場合と甲乙はつけ難い。いずれの場合も各色の画像形成部で、それぞれのインクの色に応じた分光画像を、前の色に重ねて印刷する。
【００４４】
図４(b),(d) に示した可視光下では見えない特殊インクを用いる場合は、４色のインクを用いる印刷機を使用し、通常、最後の重ね印刷となるブラックの画像形成部で特殊インクを印刷するようにすると、迅速な印刷を実行することができる。勿論、特殊インクの印刷を別の印刷機あるいは別の印刷工程で行うようにしてもよい。いずれにしても、特殊なインクを使用する印刷方法ではあるが、特殊な印刷機を用いるわけではない。
【００４５】
尚、商品広告の画像として美観を損なわない程度であるならば、通常の印刷つまり可視画像として特殊記号を印刷することも考えられる。
図６は、そのような商品広告の画像として美観を損なわない程度に可視画像で特殊記号を印刷した例を示す図である。同図に示す例では、画像区画１８内において、価格表示の印刷部２１の横に小さくバーコード２４が印刷されている。このように、価格表示の近傍に印刷されたバーコード２４は、その実際の情報内容とは係わりなく、一般に商品価格と連携する情報を示していると受け取られる場合が多いので、視覚的には無視されて、あまり目立つことは無く、したがって、画像全体の美観を損ねることもない。
【実施例４】
【００４６】
続いて、上記の印刷方法により印刷された図３に一例として示したような商品販売用印刷物１７と、図１及び図２に示したシステム構成とによって実行される商品の売買について説明する。
図７は、本例の商品販売システムを用いて実行される商品購入の際の購買者側から見た処理手順を模式的に示す図である。同図に示すように、購買者は手２５に持ったカメラ付き携帯電話５により、商品販売用印刷物１７の画像区画１８ごとに印刷されている商品の画像を見て、所望の商品、例えばリビングテーブルが掲載されている画像区画１８を撮影する（Ｓ１）。
【００４７】
そうすると、カメラ付き携帯電話５の表示画面に、いま撮影したリビングテーブルが掲載されている画像区画１８の映像が表示されると共に、図の矢印ｄで示すように、リビングテーブルの映像にオーバーラップして特殊記号としてのバーコード２６が映像化されて表示される。
【００４８】
そして、このリビングテーブルとバーコード２６の映像は、そのまま写真データとしてカメラ付き携帯電話５のメモリに保存される（Ｓ２）。
次に、購買者がカメラ付き携帯電話５の送信ボタンを押すと、カメラ付き携帯電話５に内蔵の、又は予めインストールされているＥ−ｍａｉｌによる商品購入用アプリケーションが起動し、この商品購入用アプリケーションにより、メモリに保存されているバーコード２６の映像が解読されて情報データに変換され、この変換された情報データの中に含まれている商品販売会社のＵＲＬが読み取られる。
【００４９】
続いて、カメラ付き携帯電話５のＷｅｂブラウザが起動され、上記のＵＲＬに含まれるプロトコルに従って、上記取得されたＵＲＬが、解読された情報データに含まれていた商品コードや他の情報と共に、通信ネットワーク１に送信され（Ｓ３）、ＵＲＬが示すトップアドレス、すなわち商品販売会社のサーバ２にアクセスが行われる（Ｓ４）。
【００５０】
図８は、上記カメラ付き携帯電話５のＷｅｂブラウザと、商品販売会社のサーバ２との通信によって処理される商品売買の処理動作を示すフローチャートである。
図９(a) 〜(e) は、上記の処理において、サーバ２側で処理される管理データの変化の状態を示す図である。
【００５１】
図１０(a),(b) 及び図１１(a),(b),(c) は、上記の処理において、Ｗｅｂブラウザによってカメラ付き携帯電話５の表示画面に表示される表示画面の例と、途中におけるデータ交信の状態とを模式的に示す図である。
上記の図９(a) 〜(e) 、図１０(a),(b) 及び図１１(a),(b),(c) を参照しながら、図８に基づいて商品売買の処理の動作を以下に説明する。
【００５２】
先ず、上記の図７に示したカメラ付き携帯電話５のＷｅｂブラウザ（以下、単にＷｅｂブラウザとのみ記載する）から商品販売会社のサーバ２（以下、単にサーバ２とのみ記載する）へのアクセスにより、そのアクセスしたトップページに設定されているログイン認証画面のデータがサーバ２からＷｅｂブラウザに送信され、そのログイン画面がＷｅｂブラウザによりカメラ付き携帯電話５の表示画面に表示される（Ｓ１０１の前半）。
【００５３】
図１０(a) は、上記のカメラ付き携帯電話５の表示画面に表示されるログイン認証画面の例を示している。同図(a) に示すカメラ付き携帯電話５のログイン認証画面２７には、上から下に順に「ようこそ！」、枠で囲まれた「ｅ−Ｓｈｏｐｐｉｎｇ」、「ゲストさん」、枠で囲まれた「ログイン」の文字がそれぞれ表示されている。そして、「ログイン」の文字が表示されている枠（ログイン枠２８）の左に三角のカーソル指示マーク２９が表示され、更にログイン枠２８内が予め濃色で（又は反転して）表示され、このログイン枠２８が選択ボタンであることを示している。
【００５４】
ここで、購買者がカメラ付き携帯電話５の通常は十字カーソルキーの中央にある確定ボタンを押すことにより、ログインの選択ボタンが押されたことになり、このログイン選択信号がサーバ２に送信される。このログイン選択信号を受信したことにより、サーバ２は購買者のログイン実行の意思表示を確認し、アクセス時に送信されてきたＵＲＬを判読する（Ｓ１０１の後半）。この処理は、上記ＵＲＬのトップページアドレスに続くディレクトリや更にそのディレクトリに続くディレクトリ又はファイル名を判別する処理であると共に、ＵＲＬと共に送信されてきたバーコードの解読情報データの読み取り処理である。上述したようにバーコードの解読情報データの中には商品コード（本例ではリビングテーブルの商品コード）が含まれている。
【００５５】
ここで、図９(a) に示す管理データ３０（３０−１）には、図７に示したバーコード２６の解読情報データからサーバ２によって読み取られた商品コード例えば「０００１００Ａ」が記録される。
続いて、図８において、上記商品コード「０００１００Ａ」が分析され、この分析に基づいて、ＨＤ１１に格納されているデータベースの販売希望画面がアクセスされる（Ｓ１０２）。
【００５６】
そして、そのアクセスによって読み出された販売希望画面データがＷｅｂブラウザに送信され、Ｗｅｂブラウザ側では、受信した販売希望画面データに基づいて図１０(b) に示すように、販売希望画面３１がカメラ付き携帯電話５の表示画面に表示される。すなわち、販売希望画面３１へのログインが行われる（Ｓ１０３の前半）。
【００５７】
図１０(b) に示すカメラ付き携帯電話５の販売希望画面３１には、左上に配置された「リビングテーブル」の商品名３２と、中央に配置されたリビングテーブル本体の商品画像３３と、右下に配置された「２９，０００円」の商品単価３４が表示されている。
また、この処理では、サーバ２側では、図９(b) に示すように、管理データ３０（３０−２）に、販売希望画面データが送信されたことを示すコード「００２」が、同図(a) に示した商品コード「０００１００Ａ」の後に附加して記録される。
【００５８】
ここで、購買者は、カメラ付き携帯電話５の販売希望画面３１に表示された上記のリビングテーブル本体の商品画像３３と、自分が商品販売用印刷物１７から図７のように撮影して送信した画像とが同じものであることを確認できたときは、上記の販売希望画面３１の表示内容を登録するために十字カーソルキー中央の確定ボタンをクリックする（Ｓ１０３の後半）。
【００５９】
このクリックによる確定信号はＷｅｂブラウザによりサーバ２に送信される。サーバ２は確定信号を受信したことにより、課金フォーム画面のデータをＷｅｂブラウザに送信し、Ｗｅｂブラウザは課金フォーム画面データを受信して、その課金フォーム画面をカメラ付き携帯電話５の表示画面に表示する（Ｓ１０４の前半）。
【００６０】
図１１(a) に示すカメラ付き携帯電話５の課金フォーム画面３５には、上から下へ順に「お名前」、「ご住所」、「電話番号」の文字が表示され、それぞれのすぐ下に入力枠３６が表示されている。
また、この処理では、サーバ２側では、図９(c) に示すように、管理データ３０（３０−３）に、課金フォーム画面データが送信されたことを示すコード「ＡＢ」が、同図(b) に示した商品コード「０００１００Ａ」と販売希望画面送信コード「００２」の後に附加して記録される。
【００６１】
続いて、図８において、購買者は、図１１(a) に示す課金フォーム画面３５により、自分の個人情報として名前、住所、及び電話番号を、それぞれ各入力枠３６に入力する（Ｓ１０４の後半）。
この入力された個人情報はＷｅｂブラウザによってサーバ２に送信され、その個人情報を受信したサーバ２は、続いてカード番号入力画面のデータをＷｅｂブラウザに送信する。Ｗｅｂブラウザは受信したカード番号入力画面のデータに基づいて、カード番号入力画面をカメラ付き携帯電話５の表示画面に表示する（Ｓ１０５の前半）。
【００６２】
このカード番号入力画面は、特には図示しないが、先ず最初に複数のカード会社名が選択可能に表示される。これら複数のカード会社名の中からいずれか１つのカード会社名を選択して確定ボタンをクリックし、次に表示されるカード番号入力枠に、商品代金の決済に利用するクレジットカードの番号を入力して、確定ボタンをクリックする。
【００６３】
この入力されたカード番号はＷｅｂブラウザによってサーバ２に送信され、そのカード番号を受信したサーバ２は、続いて課金処理に移る（Ｓ１０５の後半）。
この課金処理では、図１１(b) に示すデータ交信による認証手続きが行われる。すなわち、上記のようにカメラ付き携帯電話５のＷｅｂブラウザによって、名前、住所、電話番号、及びクレジットカード番号からなる個人データが通信ネットワーク１を介してサーバ２に送信される（Ｓ５）。
【００６４】
サーバ２は、その個人データを、前述したバーコードから解読された広告名称、広告日付、商品コードなどのデータと共に所定のデータベースに新たなに発生したレコードとして記録した後、それらのデータを、商品販売会社である自己会社名と共に通信ネットワーク１を介してカード代行会社４に送信する（Ｓ６）。
【００６５】
カード代行会社４では、送信されてきたクレジットカード番号が同じく送信されたきた名前、住所、電話番号の人物に発行されたクレジットカードの番号であることを確認すると、カード番号認証信号がサーバ２に送信される。これにより、サーバ２は、カード番号が認証されことを確認する（Ｓ１０６）。
【００６６】
この処理では、サーバ２では、図９(d) に示すように、管理データ３０（３０−４）に、カード番号が認証されたことを示すコード「９」が、同図(c) に示した商品コード「０００１００Ａ」と販売希望画面送信コード「００２」と課金フォーム画面送信コード「ＡＢ」の後に附加して記録される。
【００６７】
そして、上記の認証確認に基づいて、サーバ２は、販売終了画面のデータをＷｅｂブラウザに送信する。Ｗｅｂブラウザは、受信した上記販売終了画面のデータに基づいて、販売終了画面をカメラ付き携帯電話５の表示画面に表示する（Ｓ１０７の前半）。
図１１(c) に示すように、カメラ付き携帯電話５の販売終了画面３７には、上方の表示領域３８には注文が確定した日付と時間、申し込みに使用したカメラ付き携帯電話５の電話番号、この通信が商品の注文に係わる通信であることなどが表示され、その下方の表示領域３９には、購買者の敬称付きの名前による宛名、注文を感謝するメッセージ、注文を受けた商品名、この商品を宅配する日付などが表示される。
【００６８】
購買者は、販売終了画面３７の表示内容が間違いないことを確認したときは十字カーソルキー中央の確定ボタンをクリックする（Ｓ１０７の後半）。
このクリックにより販売終了確認信号がＷｅｂブラウザによってサーバ２に送信され、その送信を受信したサーバ２は、図９(e) に示すように、管理データ３０（３０−５）に、当該商品の販売が終了したことを示すコード「ＸＺ」を、同図(d) に示した商品コード「０００１００Ａ」と販売希望画面送信コード「００２」と課金フォーム画面送信コード「ＡＢ」とカード番号認証コード「９」の後に附加して記録する。
【００６９】
そして、サーバ２は、受注終了を示すＥ−ｍａｉｌの表示データを作成し、このＥ−ｍａｉｌデータをＷｅｂブラウザに送信する。この送信を受信してＷｅｂブラウザは受注終了を示す表示をカメラ付き携帯電話５の表示画面に表示する。
このように、本発明の商品販売システムによれば、特殊な印刷方法で印刷された見た目には普通の商品広告印刷物から購買希望者が所望の商品を撮影してその撮影データを送信するだけで、後はどのような通信売買でも必要とされる入力を行って、商品の購買を確定することができる。
【００７０】
また、販売会社は、特殊な印刷方法で印刷された見た目には普通の商品広告印刷物を頒布するだけで、手数のかからないアクセスを購買希望者に提供できるので、商品の販売が促進されて便利である。
また、一旦デジタルカメラで撮影されて画像認識された特殊記号は、商品画像と共に画像データとしてデジタルカメラ内に記憶されているので、撮影した本人でなくとも商品の購買を希望する友人や知人などに画像データを転送することによって、転送を受けた人が上述した方法で注文を行うこともできるので、多忙な人が親しい友人などに所望の商品を知らせて、その商品を商品広告印刷物１７から撮影してもらうなどのことも容易にできて便利である。
【００７１】
図１２(a),(b) は、そのような画像データの転送を行っている状態を示す図である。同図(a) は、商品広告印刷物１７から所望の商品（リビングテーブル）を撮影したカメラ付き携帯電話５（５−１）を示しており、その表示画面には画像認識された特殊記号が商品画像と共に表示されている。そして、同図(b) は、同図(a) のカメラ付き携帯電話５（５−１）から表示中の画像データを転送してもらったカメラ付き携帯電話５（５−２）を示している。このカメラ付き携帯電話５（５−２）の表示画面にも、同一の画像認識された特殊記号が商品画像と共に表示されており、カメラ付き携帯電話５（５−２）内のメモリに、特殊記号が画像認識された商品画像のデータが記憶されたことを示している。
【００７２】
尚、上記実施の形態では、撮影する商品広告を、特殊な印刷方法で印刷された商品広告印刷物として説明したが、これに限ることなく、例えばテレビ画面に不可視的に特殊記号をオーバーラップ表示、つまりサブリミナルで表示した商品広告を表示して、これをカメラ付き携帯電話などで撮影するようにしてもよい。
【００７３】
図１３(a),(b) は、そのようなテレビ画面での特殊記号表示付き商品広告の例を示す図である。同図(a) は、特殊記号表示付き商品広告のテレビ画面を視認した表示画面であり、サブリミナルで不可視的にオーバーラップして埋め込まれた特殊記号の表示を視認することはできない。つまり見る目の邪魔にはならない。
【００７４】
これに対して、同図(b) は、同図(a) の通常画面をカメラ付き携帯電話５で撮影した場合にカメラ付き携帯電話５の表示画面に表示されるテレビ画面の映像である。このようにカメラ付き携帯電話５内では、商品広告印刷物１７の特殊印刷の場合と同様に、サブリミナルの不可視的特殊記号が画像認識されている。
【図面の簡単な説明】
【００７５】
【図１】本発明の実施例１としての商品販売システムの全体構成を示す図である。
【図２】商品販売会社のサーバ（ハード）のシステム構成を模式的に示すブロック図である。
【図３】図３は商品販売システムにおいて使用される商品販売用印刷物の一例を示す図である。
【図４】(a),(c) は商品販売用印刷物の画像区画の中から一例としてリビングテーブルを印刷した画像区画の印刷の態様を２例示す図、(b),(d) はそれぞれ(a),(c) に示す２例の印刷態様における光学的潜像からなる特殊記号の印刷例を示す図である。
【図５】(a),(c) はリビングテーブルを印刷した画像区画の他の印刷の態様を２例示す図、(b),(d) はそれぞれ(a),(c) に示す２例の印刷態様における埋め込み式の特殊記号の印刷例を示す図である。
【図６】商品広告の画像として美観を損なわない程度に可視画像で特殊記号を印刷した例を示す図である。
【図７】本発明の商品販売システムを用いて実行される商品購入の際の購買者側から見た処理手順を模式的に示す図である。
【図８】カメラ付き携帯電話のＷｅｂブラウザと商品販売会社のサーバとの通信によって処理される商品売買の処理動作を示すフローチャートである。
【図９】(a) 〜(e) は上記のフローチャートに示す処理においてサーバ２側で処理される管理データの変化の状態を示す図である。
【図１０】(a),(b) はフローチャートに示す処理においてＷｅｂブラウザによってカメラ付き携帯電話５の表示画面に表示される表示画面の例を模式的に示す図である。
【図１１】(a),(b),(c) はフローチャートに示す処理においてＷｅｂブラウザによってカメラ付き携帯電話５の表示画面に表示される表示画面の例と処理途中におけるデータ交信の状態とを模式的に示す図である。
【図１２】特殊記号が画像認識されている画像データの転送を行っている状態を示す図である。
【図１３】(a),(b) はテレビ画面での特殊記号表示付き商品広告の例を示す図である。
【符号の説明】
【００７６】
１      通信ネットワーク
２      商品販売会社のサーバ
３      クレジットカード会社（のサーバ）
４      カード代行会社（のサーバ）
５（５−１、５−２）  カメラ付き携帯電話
６      ネットワークアダプタ
７      ＣＰＵ（ central processing unit）
８      ＲＯＭ（read only memory）
９      ＲＡＭ（Random Access Memory）
１１    ＨＤ（ hard disk）
１２    Ｉ／Ｆ（インターフェース）ユニット
１３    外部記憶装置
１４    モニタ
１５    キーボード／マウス
１６    端末
１７    商品販売用印刷物
１８    画像区画
１９    リビングテーブルの画像印刷（可視画像）部
２１    価格表示の印刷（可視印刷）部
２２    寸法表示枠
２３    リビングテーブルの一角
２４    バーコード
２５    手
２６    バーコード
２７    ログイン認証画面
２８    ログイン枠
２９    三角カーソル指示マーク
３０（３０−１、・・・、３０−５）  管理データ
３１    販売希望画面へのログイン画面
３２    商品名
３３    商品画像
３４    商品単価
３５    課金フォーム画面
３６    入力枠
３７    販売終了画面
３８    上方の表示領域
３９    下方の表示領域
【図１】
2005284778.tif 000003
【図２】
2005284778.tif 000004
【図３】
2005284778.tif 000005
【図４】
2005284778.tif 000006
【図５】
2005284778.tif 000007
【図６】
2005284778.tif 000008
【図７】
2005284778.tif 000009
【図８】
2005284778.tif 000010
【図９】
2005284778.tif 000011
【図１０】
2005284778.tif 000012
【図１１】
2005284778.tif 000013
【図１２】
2005284778.tif 000014
【図１３】
2005284778.tif 000015